(57)【特許請求の範囲】
【請求項１】
２値の画素データに応じて発光制御される発光素子が一方向に列設された発光素子アレイおよび、当該発光素子アレイの発光光を感光体に結像させる結像手段を備えた発光素子アレイユニットと、
主走査１ライン分の画素データ群に対して、注目点が発光素子を点灯させる画素データで、当該注目点の左右が発光素子を点灯させない画素データとなるパターンを認識するパターン認識手段と、
前記主走査１ライン分の画素データ群の入力に対して、主走査２ライン分の画素データ群を前記発光素子アレイユニットに転送して、該発光素子アレイユニットの各発光素子を駆動させて主走査させる画像データ転送制御手段であって、前記パターン認識手段が前記パターンを認識した場合、転送する前記２ライン分の画素データ群のうち、１ライン分の画素データ群における前記パターンの注目点を点灯させない画素データとして転送する転送制御手段と、
を具備することを特徴とする画像書込み装置。
【請求項２】
前記画像データ転送制御手段は、転送する前記２ライン分の画素データ群のそれぞれのラインに対して奇数番目の画素データ群と偶数番目の画素データ群を分けて転送し、
前記注目点を点灯させたラインの奇数番目の画素データ群の転送、前記注目点を点灯させたラインの偶数番目の画素データ群の転送、前記注目点を点灯させないラインの奇数番目の画素データ群の転送、前記注目点を点灯させないラインの偶数番目の画素データ群の転送の４回の転送が行なわれること、
を特徴とする請求項１に記載の画像書込み装置。
【請求項３】
前記発光素子アレイユニットが、前記感光体の軸線方向を主走査方向として副走査方向に所定量ずれて、主走査方向で所定量重なる状態で千鳥状に配列されていることを特徴とする請求項１または２の何れか１項に記載の画像書込み装置。
【請求項４】
請求項１乃至３の何れか１項に記載の画像書込み装置を備えること、
を特徴とする画像形成装置。
【発明の詳細な説明】
【技術分野】
【０００１】
この発明は、ＬＥＤアレイ等の発光素子アレイを用いた画像書込み装置及びこの画像書込み装置を備えるプリンタ、デジタル複写機、複合機等の画像形成装置に関し、特に、１ライン間幅に対し印字密度が増減可能になり、１ドット印字率を著しく改善することができる画像書込み装置に関するものである。
【背景技術】
【０００２】
一般に、感光体に光を照射して潜像を書き込む画像書込装置には、レーザー光によるＬＤ走査方式やＬＥＤ発光素子をアレイ状にした発光素子アレイでの方式がある。
上記発光素子アレイ方式では、２値の画像を画像形成装置より出力すると、プロセス条件により、１ドットの印字が横太りの楕円系に印字されてしまうものであり、１ドットの格子画像（５ｍｍ間隔の画像）だとより鮮明に現れてきて、縦線が横線よりも太く印字されて縦横比が問題になっていた。
この縦横比の問題を解決するために、ＬＥＤのバランス補正データを利用して制御している方式があり、多値データでの対応としては、ＬＥＤ毎の階調データと複数のＬＥＤからなるブロックの単位で出力バラツキを補正するデータと、ブロックの平均値に対する出力バラツキを補正するデータとを加算し、加算したデータによりＬＥＤのバラツキを抑えている。
なお、先行技術としては、特許文献１として、書き込み装置を、感光体の軸線方向に沿って千鳥状に配列し、且つ感光体の回動方向に結像させる位置をずらして配列した複数個のＬＥＤヘッド（発光素子アレイユニット）によって構成し、その各ＬＥＤヘッドへ転送すべき画像データをＬＥＤ書込制御回路がプリンタ制御回路の指示に基づいてその各ＬＥＤヘッド毎に分割し、その分割した各画像データを感光体の回動方向（送り方向）に結像させる位置分だけ時間的にずらして各ＬＥＤヘッドへ転送させる技術が、また特許文献２として、分割露光データ転送方式を効果的に利用し、ライン状に配列したＬＥＤ素子を一走査ライン毎に副走査方向に適宜複数回点灯しながら感光体上にドット潜像を形成するとともに、前記ＬＥＤ素子間の光量のバラツキに対応した補正値に基づいて前記副走査方向の点灯回数を制御する技術が、また特許文献３として、副走査方向のビーム径が本来のビーム径（基準となるビーム径）と異なっている発光素子は、１回の点灯信号に対して、本来と異なる強度（光量）で、副走査方向に位置を変えて、複数回点灯させて、その合成プロファイルを本来のビーム径のプロファイルと一致させ、これにより、発光素子毎の副走査方向のビーム径のバラツキによって生じる濃度ムラを抑える技術が開示されている。
【特許文献１】特開２００２−２８３６０９公報
【特許文献２】特開平６−２７０４７１号公報
【特許文献３】特開２００１−１２１７４５公報
【発明の開示】
【発明が解決しようとする課題】
【０００３】
しかしながら、２値での方式においては、２値の画像のデータとＬＥＤ個々の補正データを加算させ階調を忠実に再現する制御があるが、ドットの印字パワー（印字駆動電流制御）を調整しているので、線画の向上にはなるが、縦横線幅の改善には至っていなかった。
本発明は、上記従来の問題点を解決するためになされたものであって、その目的は、１ライン間幅に対し印字密度が増減可能になり、１ドット印字率を著しく改善することができる画像書込み装置を提供することである。
【課題を解決するための手段】
【０００４】
上述の目的を達成するために、請求項１記載の発明は、２値の画素データに応じて発光制御される発光素子が一方向に列設された発光素子アレイおよび、当該発光素子アレイの発光光を感光体に結像させる結像手段を備えた発光素子アレイユニットと、主走査１ライン分の画素データ群に対して、注目点が発光素子を点灯させる画素データで、当該注目点の左右が発光素子を点灯させない画素データとなるパターンを認識するパターン認識手段と、前記主走査１ライン分の画素データ群の入力に対して、主走査２ライン分の画素データ群を前記発光素子アレイユニットに転送して、該発光素子アレイユニットの各発光素子を駆動させて主走査させる画像データ転送制御手段であって、前記パターン認識手段が前記パターンを認識した場合、転送する前記２ライン分の画素データ群のうち、１ライン分の画素データ群における前記パターンの注目点を点灯させない画素データとして転送する転送制御手段と、を具備することを特徴とする。
【０００５】
また、請求項２記載の発明は、前記画像データ転送制御手段は、転送する前記２ライン分の画素データ群のそれぞれのラインに対して奇数番目の画素データ群と偶数番目の画素データ群を分けて転送し、前記注目点を点灯させたラインの奇数番目の画素データ群の転送、前記注目点を点灯させたラインの偶数番目の画素データ群の転送、前記注目点を点灯させないラインの奇数番目の画素データ群の転送、前記注目点を点灯させないラインの偶数番目の画素データ群の転送の４回の転送が行なわれること、を特徴とする。
また、請求項３記載の発明は、前記発光素子アレイユニットが、前記感光体の軸線方向を主走査方向として副走査方向に所定量ずれて、主走査方向で所定量重なる状態で千鳥状に配列されていることを特徴とする。
また、請求項４記載の発明は、請求項１乃至３の何れか１項に記載の画像書込み装置を備えること、を特徴とする。
【発明の効果】
【０００６】
本発明によれば、画像データ転送制御手段が、主走査１ライン間に１ライン分の画像データを処理しながら、数回（本実施では１ライン間に２回のデータ転送）転送制御して、発光素子アレイを駆動させることにより、１ライン間幅に対し印字密度が増減可能になり、１ドット印字率を改善することができる。
【発明を実施するための最良の形態】
【０００７】
以下に添付の図を参照してこの発明の実施形態を詳細に説明する。
（実施例）
図１は、本発明による画像書込み装置の一実施形態を適用した画像形成装置（デジタル複写機）のブロック構成図である。
図１に示すように、このデジタル複写機は、原稿を読み取る読取手段としての原稿読取部１００、読み取られた原稿情報を記憶する記憶手段としての画像情報記憶部３００、記憶された情報を転写紙に複写するための書込部５００、また一連のプロセスを実行制御するシステム制御装置３０２、このシステム制御装置にキー入力を行う操作手段としての操作部４００等で構成されている。
次に、図２、及び図１を参照して原稿読取部１００の構成を説明する。図２は、図１に示したデジタル複写機の構成図である。
まず、オペレータが原稿を挿入口から挿入すると、原稿は、ローラ１（図２）の回転に応じて密着センサ２と白色ローラ３間を搬送される。搬送中の原稿は、密着センサ２に取り付いているＬＥＤにより照射され、その反射光は密着センサ２に結像され、原稿画像情報が読み取られる。図１のセンサ２上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力されシェーデング補正回路１０４により、光量ムラ、コンタクトガラスの汚れ、センサの感度ムラ等による歪を補正する。この補正されたデジタル画像情報は、画像処理回路１０５でデジタル記録画像情報に変換された後、画像メモリ部３０１に書き込まれる。
次に、画像メモリ部３０１に書き込まれた画像信号が転写紙に形成するための一連のプロセスを制御しているシステム制御装置３０２と書込部（画像書き込み装置）５００の構成について説明する。
システム制御回路３０２は、全体制御を行う機能があり読取制御回路１０７、同期制御回路１０６、画像メモリ部３０１、ＬＥＤ書込制御回路５０２での画像データ転送と駆動制御回路５０４によりスキャナ駆動装置１０８、プリンタ駆動装置５０５を介してモータ等を駆動させ読み取り原稿及び転写紙の搬送を円滑に制御している。
書込部５００では、画像メモリ部３０１より同期信号クロックにより転送された画像信号をＬＥＤ書込制御回路５０２で１画素単位ビット変換し、ＬＰＨ５０３で赤外光に変換出力される。
【０００８】
以下に、図２を参照して記録紙に画像形成するまでのプロセスについて説明する。
感光体ドラム５の周囲には、感光体ドラム５を−１２００Ｖに一様に帯電させる帯電装置（グリッド付きのスコロトロンチャージャ）４と、ＬＥＤをアレー状に並べ、ＳＬＡ（セルフォックレンズアレー）を介して感光体ドラム５を照射する発光素子アレイユニット（ＬＥＤヘッド）６と、現像ユニット７とが配設されている。なお、このＬＥＤヘッド６は図１のＬＰＨに相当している。
感光体ドラム５にデジタル画像情報に基づいたＬＥＤ光が照射されると光導電現象で感光体表面の電荷が感光体ドラム５のアースに流れて消滅する。ここで原稿濃度の淡い部分は、ＬＥＤを発光させないようにし、原稿濃度の濃い部分は、ＬＥＤを発光させる。これにより感光体ドラム５のＬＥＤ光非照射部は画像の濃淡に対応した静電潜像が形成される。
次に、この静電潜像を現像ユニット７によって現像する。現像ユニット内のトナーは撹拌により負に帯電されておりバイアスは−７００Ｖ印加されているためＬＥＤ光照射部分だけにトナーが付着する。
一方、転写紙は、３つの給紙台及び手差しから選択し、レジストローラ８で所定のタイミングで感光体ドラム５の下部を通過し、この時に転写チャージャ９によりトナー像を記録紙上に転写させる。記録紙は、次に感光体ドラム５より分離チャージャ１０により分離されて搬送タンク１１により搬送されて定着ユニット１２に送られ、そこでトナーが記録紙に定着される。トナーが定着された記録紙は排紙トレイ１４または１３により機外の前後に送られ排紙される。
次に、画像メモリ部３０１から書込部５００への画像信号の流れを説明する。
画像信号の流れは、画像メモリ部３０１から偶数画素（ＥＶＥＮ）、奇数画素（ＯＤＤ）の２値画像データが同時に転送速度１６ＭＨｚでＬＥＤ書込制御回路５０２に送られてくる。２画素パラレルで送られてきた画像信号は、ＬＥＤ書込制御回路５０２内部で一旦、１ラインに合成した後、３分割に割り当て、ＬＥＤヘッド６−１、６−２、６−３へ４画素同時に転送される。
【０００９】
次に、図３を参照してＬＥＤ書込制御回路５０２の各ブロックについて説明する。図３は、図１に示したＬＥＤ書込制御回路５０２の各ブロックの構成図である。
まず、画像データ入力部５１２について説明する。
２値画像信号、偶数画素（ＥＶＥＮ）、奇数画素（ＯＤＤ）及びタイミング信号は、画像データメモリ部３０１より低電圧作動信号素子ＬＶＤＳドライバーを使用しパラレルからシリアルに変換され、ＬＥＤ書込制御回路５０２に１６ＭＨｚで送られてくる。ＬＥＤ書込制御回路５０２でもＬＶＤＳレシーバ５１２を使用し、シリアル信号からパラレル信号に変換し、ＰＫＤＥ・ＰＫＤＯ・ＣＬＫＡ・ＬＳＹＮＣ＿Ｎ・ＬＧＡＴＥ＿Ｎ・ＦＧＡＴＥ＿ＮとしてＩＣ５１０に入力する。
【００１０】
次に、画像データＲＡＭ部５１４Ａ＿１〜５１４Ａ＿３、５１４Ｂ＿１〜５１４Ｂ＿３について説明する。
ＩＣ５１０に入力された偶数画素（ＥＶＥＮ）、奇数画素（ＯＤＤ）の画像信号は、４画素単位にし、ＳＲＡＭＤＩ［３：０］としてＳＲＡＭアドレス信号ＡＤＲＡ［１０：０］及びＡＤＲＢ［１０：０］により、Ａ群ＳＲＡＭ３個（５１４Ａ＿１〜５１４Ａ＿３）、Ｂ群ＳＲＡＭ３個（５１４Ｂ＿１〜５１４Ｂ＿３）に転送速度８ＭＨｚで格納される。５０１＿１〜５０３＿３は、総ｄｏｔ数２３０４０ｄｏｔ（Ａ３幅７６８０ｄｏｔ×３本）で画像信号転送が３分割方式のため、主走査１ライン分の画像信号をＡ群のＳＲＡＭ５１４Ａ＿１にＬＥＤヘッド６−１の画像信号を、ＳＲＡＭ５１４Ａ＿２にＬＥＤヘッド６−２の画像信号を、ＳＲＡＭ５１４Ａ＿３にＬＥＤヘッド６−３の画像信号を格納する。８ＭＨｚでＡ群ＳＲＡＭ３個５１４Ａ＿１〜５１４Ａ＿３に順次格納された画像信号は、次の２ライン目に４ＭＨｚでＡ群ＳＲＡＭ３個（５１４Ａ＿１〜５１４Ａ＿３）から同時に読み出され、再びＩＣ５１０へ入力され、画像信号を４画素から８画素単位に変換して、画像遅延メモリ部のフィールドメモリ５１５＿１〜５１５＿３に転送速度２ＭＨｚで送られる。このとき、ＬＥＤヘッド６−１は遅延動作しない。ＬＥＤヘッド６−２の画像信号はフィールドメモリ５１５−１へ、ＬＥＤヘッド６−３はフィールドメモリ５１５−３へ転送される。１ライン目のＳＲＡＭからの読出し制御を行っている間に、次のラインをＢ群のＳＲＡＭ５１４Ｂ＿１〜５１４Ｂ＿３の３個にＡ群と同様に画像信号を格納する。
このリード、ライト動作をＡ郡ＳＲＡＭ３個５１４Ａ＿１〜５１４Ａ＿３、Ｂ郡ＳＲＡＭ３個５１４Ｂ＿１〜５１４Ｂ＿３をトグル動作させることによりライン間の繋ぎを行う。
【００１１】
次に、画像データ遅延部５１５＿１〜５１５＿３について説明する。
１）ＬＥＤヘッド６−２の画像信号遅延部５１５＿１、５１５＿２について
発光素子アレイユニットであるＡ３幅ＬＥＤヘッド６−１〜６−３の３本を千鳥配置している為、ＬＥＤヘッド６−１を基準とし、ＬＥＤヘッド６−２はメカレイアウト上、副走査方向に１７．５ｍｍずらして取り付けている。すなわち、ＬＥＤヘッド（発光素子アレイユニット）６−１〜６−３が、感光体ドラム５の軸線方向を主走査方向として副走査方向に所定量ずれて、主走査方向で所定量重なる状態で千鳥状に配列されている。
このため、Ａ郡ＳＲＡＭ３個５１４Ａ＿１〜５１４Ａ＿３、Ｂ郡ＳＲＡＭ３個５１４Ｂ＿１〜５１４Ｂ＿３から出力された画像信号を同時に処理し、ＬＥＤヘッド６−２へ転送するとＬＥＤヘッド６−１に対してＬＥＤヘッド６−２は、副走査方向に１７．５ｍｍ（１７．５ｍｍ／４２．３μｍ（６００ｄｐｉの１ｄｏｔ）＝４１６ライン）ずれて印字してしまう。このメカ的なずれを補正するため、４ＭＨｚでＡ群ＳＲＡＭ５１４Ａ＿２、Ｂ群ＳＲＡＭ５１４Ｂ＿２から出力されたＬＥＤヘッド６−２の画像信号を８画素単位としてフィールドメモリ５１５＿１に転送ライン順に２ＭＨｚで１８０ライン（固定）書き込む。
次に、書き込まれた順に２ＭＨｚでフィールドメモリ５１５＿１より画像信号を読み出すと同時に、カスケード接続されたフィールドメモリ５１５＿２に２３６ライン（可変）書き込む。
次に、書き込まれた順に２ＭＨｚでフィールドメモリ５１５＿２より画像信号を読み出し、Ｌ２ＤＦＭＯ［７：０］として、再びＩＣ５１０へ入力する。これによりＬＥＤヘッド６−２の画像信号は、４１６ライン遅延された事になる。遅延させるライン数はＬＥＤヘッド６−２の部品制度、組付のバラツキにより個々に異なるため、１ライン（４２．３ｕｍ）単位での制御が可能である。
【００１２】
２）ＬＥＤヘッド６−３の画像データ遅延部について
Ａ３幅ＬＥＤヘッド６−１〜６−３の３本を千鳥配置している為、ＬＥＤヘッド６−１を基準とし、ＬＥＤヘッド６−３は、メカレイアウト上、副走査方向に０．５ｍｍずらして取り付けている。このため、Ａ郡ＳＲＡＭ３個５１４Ａ＿１〜５１４Ａ＿３、Ｂ郡ＳＲＡＭ３個５１４Ｂ＿１〜５１４Ｂ＿３から出力された画像信号を同時に処理し、ＬＥＤヘッド６−３へ転送するとＬＥＤヘッド６−１に対してＬＥＤヘッド６−３は副走査方向に０．５ｍｍ（０．５ｍｍ／４２．３μｍ（６００ｄｐｉに１ｄｏｔ）＝１２ライン）ずれて印字してしまう。このメカ的なずれを補正するため、４ＭＨｚでＡ群ＳＲＡＭ５１４Ａ＿３、Ｂ群ＳＲＡＭ５１４Ｂ＿３から出力されたＬＥＤヘッド６−３の画像信号を８画素単位としてフィールドメモリ５１５＿３に転送ライン順に２ＭＨｚで１２ライン書き込む。
次に、書き込まれた順に２ＭＨｚでフィールドメモリ５１５＿３より画像信号を読み出し、Ｌ３ＤＦＭＯ［７：０］として再びＩＣ５１０へ入力する。これにより、ＬＥＤヘッド６−３の画像信号は１２ライン遅延された事になる。
遅延させるライン数はＬＥＤヘッド６−３の部品制度、組付のバラツキにより個々に異なるため、１ライン（４２．３ｕｍ）単位での制御が可能である。
次に、画像データＲＡＭ部５５０Ａ＿１〜３、５５０Ｂ＿１〜３について説明する。
画像データＲＡＭ部１からのＬＥＤヘッド１の画像データＬ１ＤＩ［７：０］と画像データ遅延部からのＬＥＤヘッド２、３の画像データＬ２ＤＦＮＯ［７：０］、Ｌ３ＤＦＭＯ［７：０］は、ＩＣ５１０を介して画像データＲＡＭ部２のＳＲＡＭ郡５５０Ａ＿１〜３へそれぞれ２ＭＨｚの転送速度で格納される。格納された画像データは、次のライン間に８ＭＨｚの転送速度で４回読み出される。アドレスはＬＥＤヘッド７６８０ｄｏｔであり８画素単位なので９６０アドレス分となる。この９６０アドレスを４回繰り返す。８画素単位で読み出された画像データは、ＩＣ５１０内で４画素単位にデータ変換され、画像データ出力部５１９に転送される。
また、ＳＲＡＭ群５５０Ａ＿１〜３で読み出されている間、ＳＲＡＭ群５５０Ｂ＿１〜３では次のラインデータを書き込み、交互にラインの書込み、読出しが行われる。
【００１３】
次に、画像データ出力部５１９について説明する。
画像ＲＡＭ部２で処理されたＬＥＤヘッド６−１〜３の４ビット単位の画像データは、ＬＰＨ制御信号とともに出力され、ドライバ５１９を介し、各ＬＥＤヘッド６−１〜３に８ＭＨｚのスピードで転送される（Ｌ１〜Ｌ３ＣＬＫは４ＭＨＺの立ち上がり、立下りエッジでデータ確定される）。
次に、光量補正ＲＡＭ５１６について説明する。
ＬＥＤヘッド６−１〜３には、各ＬＥＤ素子の光量バラツキを補正するためにＬＥＤ素子毎の補正データ及びＬＥＤアレイチップごとの補正データを記憶するために、各ＬＥＤヘッド内に光量補正ＲＯＭを搭載している。電源投入時、ＩＣ５１０のＣＰＬＤ制御によりまずＬＥＤヘッド６−１の光量補正データを読出し、シリアル／パラレル変換し、８ビット単位の補正データＨＯＳＥＩＤ［７：０］としてアドレスにより光量補正ＳＲＡＭ５１６に格納する。全ての補正データを格納後、今度は、光量補正用ＳＲＡＭ５１６から読出し、再びＬＥＤヘッド６−１へ転送させる。この動作をＬＥＤヘッド６−２、３と順におこなう。
転送した光量補正データは、ＬＥＤヘッド６−１〜３電源をＯＦＦしない限り、ＬＥＤヘッド６−１〜３内部にて補正データが保持される構成となっている。
次に、システム駆動装置３０２について説明する。
ＬＥＤヘッド書込制御回路５０２への書き込み条件設定は、システム制御装置３０２からの制御信号入力データバスＬＤＡＴＡ［７：０］、アドレスバスＬＡＤＲ［５：０］、ラッチ信号ＶＤＢＣＳ、Ｐセンサパターン信号ＳＧＡＴＥ＿Ｎを、ＩＣ５１０に入力することにより制御される。
これまで説明してきた、機械全体構成、ＬＥＤ書込制御回路５０２により構成される本実施例の具体的なＬＥＤヘッドへの画像データの転送制御と印字ドット径と画像について以下に記載する。なお、システム駆動装置３０２およびＬＥＤ書込制御回路５０２により画像データ転送制御手段が構成される。
まず、基本的なＬＥＤヘッドへの転送方式について説明する。
【００１４】
図４は、ＬＥＤヘッドへの転送方式について説明図であり、（ａ）は、ＬＥＤヘッドへのデータ転送についてのタイミング図であり、（ｂ）は、画像データ８画素単位のデータ変換処理の説明図である。
図４（ａ）に示すように、ＲＬＳＹＮＣは、主走査１ライン間隔であり、この間で一連の処理を行う。クロックの立ち上がり、立下りエッジにより、画像データを転送する。ＤＡＴＡは４画素単位の画像データである。
転送画像データは、まずＬＥＤヘッド７６８０画素分の（１）偶数画素データ：ＥＶＥＮＤＡＴＡを転送する。転送後、ＬＯＡＤ信号によりデータをラッチさせる。次に、（２）奇数画素データ：ＯＤＤＤＡＴＡを転送し、再びＬＯＡＤ信号にてラッチさせる。奇数画素データ：ＯＤＤＤＡＴＡを転送している間に、ラッチされた偶数画素データを点灯信号：ＳＴＲＢによりＬＥＤを点灯させる（ＳＴＲＢ信号：ＬＯＷアクティブ）。再度、（３）偶数データ、（４）奇数データ転送しラッチ、印字とデータ転送を２回繰り返して印字させる。すなわち、１ライン間に２回のデータ転送を行っていることになる。
次に、図３の画像データＲＡＭ部２（５５０Ａ＿１〜３、５５０Ｂ＿１〜３）から出力された画像データ８画素単位のデータ変換処理の一例について図４（ｂ）にて説明する。図４（ｂ）において、アドレス０は、黒丸を“１”とし、白丸を“０”として８画素データを並び替えると、●○○●○●●○→１００１０１１０となる。
一例として、ＳＲＡＭ５５０Ａ＿１の０番地アドレスから読み出された画像データ８画素（１００１０１１０）は、１回目の転送では、偶数データに注目し、８画素から偶数データのみ選択し、４ｂｉｔ単位でＬＥＤヘッドへ転送する。この動作をアドレス０〜９５９番地まで繰り返し転送する。従って、１回目の転送ではＥＶＥＮのデータだけ選択され、●○○●○●●○の内、１００１が転送される。
【００１５】
次に、２回目のデータ転送を開始し、ＳＲＡＭ５５０Ａ＿１の０番地アドレスから読み出された画像データ８画素（１００１０１１０）は、今度は奇数データに注目し、８画素から奇数データのみ選択し、４ｂｉｔ単位でＬＥＤヘッドへ転送する。この動作をアドレス０〜９５９番地まで繰り返し転送する。従って、２回目の転送ではＯＤＤのデータだけ選択され、●○○●○●●○の内、０１１０が転送される。
１、２回目の８ｂｉｔから４ｂｉｔ変換ではデータ値を処理せずにデータ選択で４ｂｉｔにしている。
次に、３回目のデータ転送を開始し、ＳＲＡＭ５５０Ａ＿１の０番地アドレスから読み出された画像データ８画素にて偶数データに注目し、データが“０”であればそのまま“０”を転送する。データが“１”の場合、前の画素（奇数画素）データが、“１”であれば、そのまま“１”を転送する。しかし、前の画素データが“０”であるならば、データを“０”にして転送する。
画像伝送３回目ではパターン認識にてデータ処理を実施するので、１００１０１１０→０００００１１０となる。すなわち、画像伝送３回目では再びＥＶＥＮデータのみを転送するが、ここで、１ドット縦ラインと認識させ、データ変換する。言い換えるならば、左右の画素をみて、０データならば、縦線であると判断する。その結果、入力データをデータ変換すると、●○○●○●●○→○○○○○●●○となり、数字では、０００００１１０となる。このパターンからＥＶＥＮデータを選択し、○○○○○●●○よって０００１が転送される。
ここから、偶数データの４画素分０００１を選択しＬＥＤヘッドに転送する。
更に４回目も同様で、今度は奇数データの４画素分００１０を選択、ＬＥＤヘッドに転送する。すなわち、４回目はＯＤＤデータのみ転送するので、○○○○○●●○よって００１０を転送する。
【００１６】
また、上記実施形態においては、前記画像データのデータ処理において、コピアモードおよびプリンタモードからなる出力モードにより画像データの処理を切り替え、コピアモードでは、データ転送を１回のみで変換制御せず、プリンタモードではデータ転送を２回行なってデータ処理制御をするようにしている。
このようなパターン認識をしてデータを処理することにより、以下のような縦線幅の効果がある。
すなわち、画像データ転送制御手段が主走査１ライン間に１ライン分の画像データを処理しながら、数回（本実施では１ライン間に２回のデータ転送）転送制御して、発光素子アレイを駆動させるようにしているので、１ライン間幅に対し印字密度が増減可能になり、１ドット印字率を改善することができる。
また、画像データ処理は、主走査１ライン制御でパターン認識をするようにしているので、回路構成が容易であり、かつ１ライン間の線画を忠実に再現することができる。
また、２値画像である１ｄｏｔ孤立点を認識すると１回目の転送は黒すなわち“１”を転送し２回目は白すなわち“０”を転送制御するようにしているので、ドット径を細くすることができ１ドットの縦・横の比率を改善することができる。
また、出力するモード、すなわちコピアモードとプリンタモードに切り分け可能としたことで、コピアモードでの画像処理での画像とプリンタモードでのデータ処理での階調性、線画を忠実に再現できるようになった。
【００１７】
図５は、主走査方向に１ライン７ドットで副走査方向に７ラインの１ドット十字の印字ドット径と見た目画像との関係の説明図であり、（ａ）はデータ転送を１回で印字している場合を示している。そして、（ｂ）は、データ転送を２回して印字している場合を示し、（ｃ）は、１ｄｏｔ孤立点の場合のデータ“１”とデータ“０”との２回のデータ転送について示している。
図５（ａ）に示すように、従来のようにデータ“１”のデータ転送を１回で印字している場合、（６）で示す縦線幅がかなり太く（７）の横線幅との比率は大きくなってしまう。
図５（ｂ）に示すように、データ“１”のデータ転送を２回行い、２度ともデータ“１”を印字する場合（すなわち、データ“１”を２回転送する場合）、（９）で示す横線が若干太くなり、（８）で示す縦線との縦横比は改善されるが、１ｄｏｔ線幅では太く（８）で示す縦線幅と（９）の横線幅との比率はなお相違するものであった。
次に、本実施形態では、図５（ｃ）に示すように、データ転送を２回するが、１ｄｏｔ孤立点の場合、つまり１ｄｏｔ縦線では、１回目はデータ“１”を転送し、２回目はデータ“０”を転送するように転送制御している。
従って、図５（ｃ）の（５）（１ｄｏｔ孤立点）で示すように、１回目はデータ“１”を印字し、２回目は、データ“０”として印字されない。これにより、（１０）の縦線が細くなると共に（１１）の横線が若干太くなり、（１０）で示す縦線幅と（１１）の横線幅との比率が均等になる。
なお、図５（ｃ）に示すように、（１）〜（４）は横線であり１ｄｏｔ孤立点では無いので、データ“１”のデータ転送を２回で印字する。
このように、画像データを１ライン間に２回、偶数画素データ→奇数画素データ→偶数画素データ→奇数画素データの順でかつ１ｄｏｔ孤立点をパターン認識しデータ処理することで縦線を細くでき、縦横幅の比率を改善する。
【００１８】
ここで、縦線のドット径を細くすることができる理由について以下に詳しく説明する。
１回目には、データ“１”を転送し、２回目にデータ“０”を転送して印字する時間を仮に数字で１００とすると、通常は、データ“１”の転送１回で１００となるが、本実施形態では転送２回で１００となる。
よって、１回目にデータ“１”で２回目にデータ“０”なので半分の印字時間となり、４ライン目では、１ドット横線であり隣にドットがあるので孤立点ではないので、２回ともデータ“１”を転送して印字時間１００となる（図５（ｃ）の（１）〜（４））。
このように、１ドット縦線の場合、データ量をへらして印字時間の減少により線を細くする。
【図面の簡単な説明】
【００１９】
【図１】本発明による画像書込み装置の一実施形態を適用した画像形成装置（デジタル複写機）のブロック構成図である。
【図２】図１に示したデジタル複写機の構成図である。
【図３】図１に示したＬＥＤ書込制御回路５０２の各ブロックの構成図である。
【図４】ＬＥＤヘッドへの転送方式についての説明図であり、（ａ）はＬＥＤヘッドへのデータ転送についてのタイミング図、（ｂ）は、画像データ８画素単位のデータ変換処理の説明図である。
【図５】１ドット十字の印字ドット径と見た目画像との関係の説明図であり、（ａ）はデータ転送を１回で印字している場合を示す図、（ｂ）はデータ転送を２回して印字している場合を示す図、（ｃ）は本発明によるデータ転送を２回し、２回目のデータに関して１ｄｏｔ孤立点の場合を示す図である。
【符号の説明】
【００２０】
１…ローラ、２…密着センサ、３…ＳＲＡＭ、５…感光体ドラム、６…ＬＥＤヘッド、７…現像ユニット、８…レジストローラ、９…転写チャージャ、１０…分離チャージャ、１１…搬送タンク、１２…定着ユニット、１４、１３…排紙トレイ、１００…原稿読取部、１０２…画像増幅回路、１０３…変換回路、１０４…シェーデング補正回路、１０５…画像処理回路、１０６…同期制御回路、１０７…読取制御回路、１０８…スキャナ駆動装置、３００…画像情報記憶部、３０１…画像メモリ部、３０２…システム制御装置、４００…操作部、５００…書込部、５０２…ＬＥＤ書込制御回路、５０４…駆動制御回路、５０５…プリンタ駆動装置、５１０…ＩＣ、５１２…ＬＶＤＳレシーバ、５１４Ａ…ＳＲＡＭ、５１４Ｂ…ＳＲＡＭ、５１５…フィールドメモリ、５１６…ＳＲＡＭ、５１９…画像データ出力部、５５０Ａ…ＳＲＡＭ、５５０Ｂ…ＳＲＡＭ
【図１】
0004841188.tif 000002
【図２】
0004841188.tif 000003
【図３】
0004841188.tif 000004
【図４】
0004841188.tif 000005
【図５】
0004841188.tif 000006